(57)【特許請求の範囲】
【請求項１】
手持ち式工具用ケース（１４ａ〜ｅ）をケース収容領域（１６ａ〜ｅ）に取り外し可能に取り付けるように設けられている少なくとも１つの保持装置（１２ａ，１２ｄ，１２ｅ）を備えた手持ち式工具用ケース保持装置であって、
前記手持ち式工具用ケース（１４ａ〜ｅ）を前記ケース収容領域（１６ａ〜ｅ）に取り付けたときに少なくとも１つの充電コイル（１８ａ〜ｅ）が前記手持ち式工具用ケース（１４ａ〜ｅ）に対して位置決めされるように、前記少なくとも１つの充電コイル（１８ａ〜ｅ）、及び該充電コイル（１８ａ〜ｅ）と前記保持装置（１２ａ，１２ｄ，１２ｅ）とを互いに相対的に移動可能に支持するように設けられた支持手段（２０ａ〜ｅ）を有していることを特徴とする、手持ち式工具用ケース保持装置。
【請求項２】
前記支持手段（２０ａ〜ｅ）は、前記充電コイル（１８ａ〜ｅ）を前記ケース収容領域（１６ａ〜ｅ）の方向で移動可能に支持するように設けられている、請求項１記載の手持ち式工具用ケース保持装置。
【請求項３】
少なくとも前記充電コイル（１８ａ〜ｅ）を前記ケース収容領域（１６ａ〜ｅ）の方向で押しつける力を発生させるように設けられている少なくとも１つの作用力部材（２４ａ〜ｅ）を有している、請求項１又は２記載の手持ち式工具用ケース保持装置。
【請求項４】
前記作用力部材（２４ａ〜ｃ）と前記支持手段（２０ａ〜ｃ）とが少なくとも部分的に一体に形成されている、請求項３記載の手持ち式工具用ケース保持装置。
【請求項５】
前記作用力部材（２４ｄ〜ｅ）と前記支持手段（２０ｄ〜ｅ）とが別個に形成されている、請求項３記載の手持ち式工具用ケース保持装置。
【請求項６】
前記保持装置（１２ａ，１２ｄ，１２ｅ）は、前記手持ち式工具用ケース（１４ａ〜ｅ）を係止するように設けられている少なくとも１つの保持手段（２６ａ，２８ａ）を有している、請求項１から５までのいずれか１項記載の手持ち式工具用ケース保持装置。
【請求項７】
前記充電コイル（１８ａ〜ｅ）は、前記ケース収容領域（１６ａ〜ｅ）に配置された充電コイル（３０ａ）にエネルギを伝えるように設けられている、請求項１から６までのいずれか１項記載の手持ち式工具用ケース保持装置。
【請求項８】
前記支持手段（２０ａ；２０ｂ）と少なくとも部分的に一体に形成されている保持装置ハウジング（３２ａ；３２ｂ）が設けられている、請求項１から７までのいずれか１項記載の手持ち式工具用ケース保持装置。
【請求項９】
前記支持手段（２０ｃ〜ｅ）とは別個に形成されている保持装置ハウジング（３２ｃ〜ｅ）が設けられている、請求項１から７までのいずれか１項記載の手持ち式工具用ケース保持装置。
【請求項１０】
少なくとも前記充電コイル（１８ａ〜ｅ）を前記ケース収容領域（１６ａ〜ｅ）の方向で押しつける力を発生させるように設けられている少なくとも１つの作用力部材（２４ａ〜ｅ）を有していて、前記作用力部材（２４ｄ）は、前記保持装置ハウジング（３２ｄ）の少なくとも１つの領域（３４ｄ）を可動に支持している、請求項９記載の手持ち式工具用ケース保持装置。
【請求項１１】
少なくとも前記充電コイル（１８ａ〜ｅ）を前記ケース収容領域（１６ａ〜ｅ）の方向で押しつける力を発生させるように設けられている少なくとも１つの作用力部材（２４ａ〜ｅ）を有していて、前記作用力部材（２４ｃ；２４ｅ）は、前記保持装置ハウジング（３２ｃ；３２ｅ）と前記充電コイル（１８ｃ；１８ｅ）との間に作用的に配置されている、請求項９記載の手持ち式工具用ケース保持装置。
【請求項１２】
前記手持ち式工具用ケース保持装置（１０ａ〜ｅ）は、充電過程を制御するように設けられている充電電子機器（５０ａ）を有している、請求項１から１１までのいずれか１項記載の手持ち式工具用ケース保持装置。
【請求項１３】
前記保持装置（１２ａ，１２ｄ，１２ｅ）は２つの保持手段（２６ａ，２８ａ）を有していて、該保持手段（２６ａ，２８ａ）は、前記ケース収容領域（１６ａ）の互いに向かい合う２つの面に配置されている、請求項６記載の手持ち式工具用ケース保持装置。
【請求項１４】
前記作用力部材（２４ａ）と前記支持手段（２０ａ）とは、保持装置ハウジング（３２ａ）と少なくとも部分的に一体に形成されている、請求項４記載の手持ち式工具用ケース保持装置。
【請求項１５】
前記支持手段（２０ｂ）と前記作用力部材（２４ｂ）は、保持装置ハウジング（３２ｂ）のフレキシブルな領域として形成されている、請求項４記載の手持ち式工具用ケース保持装置。
【請求項１６】
前記充電コイル（１８ａ）が充電エネルギを送る際に介在する、前記手持ち式工具用ケース保持装置（１０ａ）の充電面（４４ａ）は、保持装置ハウジング（３２ａ）の外面を形成していて、前記ケース収容領域（１６ａ）に配置されている、請求項１から１５までのいずれか１項記載の手持ち式工具用ケース保持装置。
【請求項１７】
請求項１から１６までのいずれか１項記載の手持ち式工具用ケース保持装置（１０ａ〜ｅ）と、少なくとも１つの手持ち式工具用ケース（１４ａ〜ｅ）とを有しているシステムであって、前記手持ち式工具用ケース（１４ａ〜ｅ）は、前記手持ち式工具用ケース保持装置（１０ａ〜ｅ）の前記保持装置（１２ａ，１２ｄ，１２ｅ）に対応する少なくとも１つの保持装置（３８ａ）を有している、システム。
【請求項１８】
前記支持手段（２０ａ）は、ケース収容領域（１６ａ）における手持ち式工具用ケース（１４ａ）の取り付けにより変形可能であって、このような変形により、前記手持ち式工具用ケース（１４ａ）が前記手持ち式工具用ケース保持装置（１０ａ）の充電面（４４ａ）を前記ケース収容領域（１６ａ）から押し出し、前記支持手段（２０ａ）が前記手持ち式工具用ケース保持装置（１０ａ）の前記充電面（４４ａ）を前記手持ち式工具用ケース（１４ａ）へと押しつけるようになっている、請求項１７記載のシステム。
【発明の詳細な説明】
【技術分野】
【０００１】
背景技術
独国特許出願公告第１０２００８０５８００７号明細書には、手持ち式工具用ケースをケース収容領域に取り外し可能に取り付けるために設けられている少なくとも１つの保持装置を備えた手持ち式工具用ケース保持装置が既に提案されている。
【０００２】
発明の開示
本発明は、手持ち式工具用ケースを手持ち式工具用ケース保持装置のケース収容領域に取り外し可能に取り付けるために設けられた少なくとも１つの保持装置を備えた、手持ち式工具用ケース保持装置を起点としている。
【０００３】
手持ち式工具用ケース保持装置が、少なくとも１つの充電コイルと、該充電コイルと前記保持装置とを互いに相対的に移動可能に支持するために設けられた支持手段とを有していることが提案される。「保持装置」とは特に、少なくとも所定の作動状態で、手持ち式工具用ケースのケース収容領域から出ようとする動きを阻止するために設けられている装置を意味している。好適には保持装置は、少なくとも所定の作動状態で、手持ち式工具用ケースの動きを動きの方向に関わらず阻止する。好適には保持装置は、手持ち式工具用ケースを少なくとも充電過程で摩擦接続的に（摩擦力により）及び／又は好適には形状接続的に（嵌め合いなどの形状的関係に基づく結合又は束縛により）固定する。「設けられている」とは特に、特別にプログラミングされている、かつ／又は形成されている、かつ／又は装備されていることを意味する。特に「手持ち式工具用ケース」とは、閉鎖状態で、工具収容領域を衝撃から保護し、かつ／又は湿気から保護し、かつ／又は埃から保護するように画成するケースを意味する。好ましくは、手持ち式工具用ケースは、少なくとも部分的に手持ち式工具バッテリの形の工具収容領域を画定している。好適には、手持ち式工具用ケースは、手持ち式工具を、及び／又は接続された手持ち式工具バッテリを備えた手持ち式工具を、及び／又は特に好適には手持ち式工具バッテリを取り付けるための少なくとも１つの固定手段を有している。好適には手持ち式工具用ケースは、磁気的及び／又は好適には電気的にパッシブである。特に手持ち式工具用ケースは電気機器を有していない。選択的又は付加的に、手持ち式工具用ケースは、エネルギを受けて、ワイヤ接続的にかつ／又は磁気的に手持ち式工具バッテリにさらに伝達する充電コイル及び／又は好適には磁界導体を有していて良い。好適には手持ち式工具用ケースは、独国特許出願公告第１０２００８０５８００７号明細書において提案された手持ち式工具用ケースに相応に形成されているが、充電過程で誘導的に充電可能な手持ち式工具バッテリを収容するために設けられている手持ち式工具収容領域及び／又は手持ち式工具バッテリ収容領域を有している。「ケース収容領域」とは特に、少なくとも充電過程で手持ち式工具用ケースが配置されている、手持ち式工具用ケース保持装置の領域を意味する。好適には、手持ち式工具用ケース保持装置の保持装置ハウジングは、ケース収容領域を少なくとも一方の側で画成している。特に「取り外し可能」とは、保持装置が手持ち式工具用ケースを所定の状態では固定し、この固定を別の状態では使用者によって破壊することなくかつ／又は可逆的に分離可能であることを意味する。好適には保持装置は、手持ち式工具用ケースを工具を使用せずに取り外し可能であるように固定する。「工具を使用せずに取り外し可能」とは特に、保持装置と手持ち式工具用ケースとの結合が使用者によって手で取り外すことができるように形成されていることを意味する。好適には保持装置及び／又は好適には手持ち式工具用ケースは、使用者による操作時に、保持装置における手持ち式工具用ケースの固定を解除する少なくとも１つの操作エレメントを有している。特に「充電コイル」とは、充電過程でエネルギを受け取るかつ／又は送るコイルを意味する。好適には手持ち式工具用ケース保持装置の充電コイルは充電過程でエネルギを送り、このエネルギをケース収容領域に配置された手持ち式工具の、かつ／又は好適には手持ち式工具バッテリの充電コイルが受け取る。好適には充電コイルは、少なくとも１つのコイル巻線と、コアと、少なくとも該コイル巻線と該コアとを結合する特に１つのコイルケーシングとを有している。「支持手段」とはこの関連では特に、充電コイルを、所定の軌道に沿った移動の際に保持するために設けられている手段を意味する。好適には支持手段は、充電コイルの移動方向に対して垂直に向けられた支持力を充電コイルに加える。好適には、支持手段は、少なくとも所定の時間、直線的に、好適には並進的に運動する充電コイルをガイドする。特に「互いに相対的に移動可能」とは、充電コイルが２つの作動状態で、保持装置に関して異なるように配置されていることを意味する。本発明による手持ち式工具用ケース保持装置の構成により、保持装置の遊びは、手持ち式工具用ケースを固定する際に好ましくは相殺され、従って充電コイルは確実に位置決めされる。従って、構造的に簡単かつ操作し易い保持装置によってエネルギ伝達の際に高い効率が得られる。特に充電コイルは、ケース収容領域に配置された充電コイルの特に近傍に配置することができる。
【０００４】
さらに、充電コイルをケース収容領域の方向で可動に支持するように支持手段を設けることが提案される。これにより構造的に特に簡単に、所定の遊びを置いて充電コイルの作用方向に対して平行に好適に位置決めすることができる。「ケース収容領域の方向」とは特に、充電コイルの動きにより、この方向に対して平行に、ケース収容領域に配置された手持ち式工具用ケースに充電コイルが近付く又は遠ざかることを意味する。好ましくはこの方向は、充電コイルに最も近くに位置する、ケース収容領域に配置された手持ち式工具用ケースの表面に対して平行には向けられていない方向である。
【０００５】
本発明の好ましい構成では、手持ち式工具用ケース保持装置が、少なくとも充電コイルをケース収容領域の方向で押す力を生ぜしめる少なくとも１つの作用力部材を有していることが提案される。これにより遊びが設けられている状態で充電コイルの作用方向に対して平行に好適には自動的な位置決めが行われる。特に「作用力部材」とは、当業者に好ましいと思われるエレメントを意味するが、好適には、ニューマチックエレメント、及び／又は磁気エレメント、及び／又は特に好適にはばねエレメントを意味する。「ばねエレメント」とは特に、通常の作動状態でその延在を、力によって少なくとも１０％、好適には少なくとも２０％、特に好適には少なくとも５０％弾性的に変形可能である構成部分を意味する。好適にはばねエレメントは、延在が変化する際に、延在の変化に応じた、特に変化に比例した、変化に反作用する反力を発生させる。好適にはばねエレメントは、当業者に好適とみなされるばねとして形成されるが、好適にはコイルばねとして形成されている。
【０００６】
さらに、作用力部材と支持手段とが少なくとも部分的に一体に形成されていることが提案される。これにより製造コスト及び構造化の手間が減じられ、ひいては１つ当たりのコストを削減することができる。「少なくとも部分的に一体に形成される」とは、例えば溶接過程及び／又は接着過程等のように、特に材料接続的に接続されていることを意味し、特に好適には鋳造による製造かつ／又は単成分又は複成分射出成形法による製造による一体成形を意味する。
【０００７】
さらに、作用力部材と支持手段とが別個に形成されていることが提案される。これにより特に精密で、スムーズに動く、寿命の長い構造が得られる。特に「別個に形成されている」とは、作用力部材と支持手段とが異なる製造ステップで製造されていることを意味する。好適には作用力部材と支持手段とは少なくとも１つの作動状態で互いに独立的に充電コイルに作用する。好ましくは作用力部材と支持手段とは異なる構成部分として形成されている。
【０００８】
さらに、保持装置が、手持ち式工具用ケースを係止するために設けられている少なくとも１つの保持手段を有していることが提案される。これにより構造的に簡単に、特に安定的で使いやすく特に自動的に閉鎖する固定が可能である。「保持手段」とは特に、少なくとも所定の作動状態で、工具ケースの固定のために直接工具ケースに力を加える手段を意味する。好ましくは保持手段は、独国特許出願公告第１０２００８０５８００７号明細書で提案された保持手段に相当するように、かつ／又は該保持手段のように形成されている。特に「係止する」とは、保持手段が、手持ち式工具用ケースの固定過程で弾性的に変位させられて、次いで、保持手段に作用する力により対応する保持手段の後方に入り込んで係合することを意味する。好ましくは、弾性的に変位可能な保持手段は、手持ち式工具用ケースに配置されていて、対応する保持手段は手持ち式工具用ケース保持装置に配置されている。
【０００９】
さらに、ケース収容領域に配置された充電コイルにエネルギを伝達するために充電コイルを設けることが提案される。これにより手持ち式工具バッテリを、手持ち式工具用ケースから取り外さずに誘電的に充電することができる。特に「伝達する」とは、充電コイルが電気エネルギを、交番磁界によって、ケース収容領域に配置された充電コイルに送ることを意味する。好適には、ケース収容領域に配置された充電コイルは、手持ち式工具用ケースの部分、かつ／又は特に好適には、手持ち式工具用ケースに配置された手持ち式工具バッテリの部分である。「手持ち式工具バッテリ」とは特に、手持ち式工具にエネルギを供給するバッテリを意味する。好適にはバッテリは特に工具を用いずに取り外し可能に手持ち式工具に結合されている。選択的に又は付加的に、手持ち式工具バッテリは手持ち式工具内に組み込むことができる。特に「手持ち式工具」とは、当業者に有利と思われる持つことができる工具を意味するが、好適には、穿孔機、ハンマドリル、打撃ハンマ、鋸、鉋、ドライバ、フライス、グラインダー、アングルグラインダー、ガーデニング機器、工事現場測定機器、及び／又は多機能工具を意味する。
【００１０】
本発明の好ましい構成では、手持ち式工具用ケース保持装置が、少なくとも部分的に支持手段と一体に形成されている保持装置ハウジングを有していることが提案される。これにより製造コスト及び構造化の手間が減じられ、ひいては１つ当たりのコストを削減することができる。「保持装置ハウジング」とは、作動可能状態で、少なくとも保持装置と支持手段とを機械的に結合するユニットを意味する。好ましくは、保持装置ハウジングは、好適には手持ち式工具用ケース保持装置の充電電子機器が配置される内室を含む。「充電電子機器」とは特に、手持ち式工具バッテリの充電状態を監視し、これに応じて手持ち式工具バッテリの充電過程を制御し、かつ／又は好ましくは調整する電子機器を意味する。
【００１１】
さらに、手持ち式工具用ケース保持装置が、支持手段とは別個に形成されている保持装置ハウジングを有していることが提案される。これにより特に精密で、スムーズに動く、寿命の長い構造が得られる。
【００１２】
さらに、作用力部材が、保持装置ハウジングの少なくとも１つの領域を可動に支持することが提案される。これにより製造コスト及び構造化の手間が減じられ、ひいては１つ当たりのコストを削減することができる。「保持装置ハウジングの領域」とは特に、少なくとも１つの作動状態で、手持ち式工具用ケース保持装置の内室を画成する、又はこのような構成部分と一体的に形成されている構成部分を意味する。
【００１３】
さらに、作用力部材を保持装置ハウジングと充電コイルとの間に作用的に配置することが提案される。これにより構造的に簡単な作用力部材を使用することができる。特に「保持装置ハウジングと充電コイルとの間に作用的に」とは、作用力部材が、充電コイルに加える力を保持装置ハウジングで支持することを意味する。
【００１４】
さらに、本発明による手持ち式工具用ケース保持装置と、該手持ち式工具用ケース保持装置の保持装置に対応する少なくとも１つの保持装置を備えた少なくとも１つの手持ち式工具用ケースとを有しているシステムが提案される。これにより手持ち式工具用ケース保持装置は好適には様々な手持ち式工具用ケースに接続することができる。これに関連して「対応する」とは特に、手持ち式工具用ケース保持装置が、手持ち式工具用ケース保持装置の保持装置と取り外し可能な機械的結合を行うことを意味する。好適には、手持ち式工具用ケースは、第１の保持装置の他に、手持ち式工具用ケースの第１の保持装置に対応するように形成された第２の保持装置を有している。これにより複数の手持ち式工具用ケースを、これらの保持装置によって結合し、好適には積み重ね、特に搬送することができる。好適には、手持ち式工具用ケースの第２の保持装置は、手持ち式工具用ケース保持装置の保持装置と同様に形成されている。
【００１５】
図面
さらなる利点は以下の図面の説明に記載されている。図面には本発明の５つの実施例が記載されている。図面、明細書、請求項には、組み合わされた複数の特徴が含まれている。当業者はこれらの特徴を目的に応じて個々に考察する、又は好適にはさらに組み合わせることができる。
【図面の簡単な説明】
【００１６】
【図１】手持ち式工具用ケースと手持ち式工具用ケース保持装置とを備えた本発明によるシステムを示す図である。
【図２】図１に示した手持ち式工具用ケース保持装置の保持装置ハウジング、充電コイル、支持手段を概略的に示す断面図であり、この場合、支持手段は保持装置ハウジングの側壁に一体に形成されている。
【図３】図２に示した支持手段の選択的な実施例を概略的に示す断面図であり、この場合、支持手段は保持装置ハウジングのＵ字形の領域として形成されている。
【図４】図２に示した支持手段の選択的な実施例を概略的に示す断面図であり、この場合、支持手段は手持ち式工具用ケース保持装置の保持装置ハウジングの外側に配置されている。
【図５】図１に示したシステムの選択的な実施例を概略的に示す断面図であり、この場合、支持手段が、充電コイルと保持装置ハウジングの一部を可動に支持している。
【図６】図１に示したシステムの選択的な実施例を概略的に示す断面図であり、この場合、支持手段が、充電コイルを保持装置ハウジングの切欠内で可動に支持している。
【００１７】
実施例の説明
図１及び図２には、手持ち式工具用ケース保持装置１０ａと、手持ち式工具用ケース１４ａと、２つの手持ち式工具バッテリ４０ａとを備えたシステム３６ａが示されている。手持ち式工具バッテリ４０ａは充電過程で、手持ち式工具用ケース１４ａ内に配置されている。手持ち式工具用ケース保持装置１０ａは、手持ち式工具バッテリ４０ａの充電過程で手持ち式工具用ケース１４ａを手持ち式工具用ケース保持装置１０ａのケース収容領域１６ａに取り外し可能に取り付ける保持装置１２ａを有している。手持ち式工具用ケース１４ａは、手持ち式工具用ケース保持装置１０ａの保持装置１２ａに対応する第１の保持装置３８ａを有している。手持ち式工具用ケース１４ａは、手持ち式工具用ケース保持装置１０ａの保持装置１２ａに対応するように形成されている第２の保持装置４２ａを有している。従って、手持ち式工具用ケース１４ａの第２の保持装置４２ａは、別の手持ち式工具用ケースの第１の保持装置に取り外し可能に接続するために設けられている。
【００１８】
手持ち式工具用ケース保持装置１０ａは、２つの充電コイル１８ａと、２つの支持手段２０ａと、２つの作用力部材２４ａと、１つの保持装置ハウジング３２ａとを備えている。充電コイル１８ａの少なくとも１つは、充電過程で、ケース収容領域１６ａに配置された一方の手持ち式工具バッテリ４０ａの充電コイル３０ａに充電エネルギを伝達する。支持手段２０ａは、それぞれ１つの充電コイル１８ａと、保持装置１２ａとを互いに相対的に移動可能に支持している。支持手段２０ａはそれぞれ作用力部材２４ａの１つと一体的に形成されている。支持手段２０ａと作用力部材２４ａは、保持装置ハウジング３２ａと一体的に形成されている。即ち、支持手段２０ａと作用力部材２４ａとは、保持装置ハウジング３２ａの壁のほぼ扁平な環状の領域として形成されている。支持手段２０ａと作用力部材２４ａの領域では手持ち式工具用ケース１４ａは薄く形成されている。充電コイル１８ａは、環状の領域によって取り囲まれている保持装置ハウジング３２ａの領域にそれぞれ結合されている。
【００１９】
支持手段２０ａは、使用者によってケース収容領域１６ａに手持ち式工具用ケース１４ａを取り付けることによって変形可能である。ケース収容領域１６ａに手持ち式工具用ケース１４ａが配置されていない場合、手持ち式工具用ケース保持装置１０ａの少なくとも１つの充電面４４ａがケース収容領域１６ａに配置されている。この充電面４４ａによって充電コイル１８ａは充電エネルギを送る。手持ち式工具用ケース保持装置１０ａの充電コイル１８ａも部分的にケース収容領域１６ａに配置されている。充電面４４ａは保持装置ハウジング３２ａの外面である。
【００２０】
支持手段２０ａは、充電コイル１８ａをケース収容領域１６ａの方向で可動に支持している。手持ち式工具用ケース１４ａをケース収容領域１６ａに装着する際には、手持ち式工具用ケース１４ａが手持ち式工具用ケース保持装置１０ａの充電面４４ａをケース収容領域１６ａから押し出す。充電過程では作用力部材２４ａが、充電コイル１８ａをケース収容領域１６ａの方向に押す力を生ぜしめる。支持手段２０ａは、手持ち式工具用ケース保持装置１０ａの充電面４４ａを手持ち式工具用ケース１４ａへと押しつける。
【００２１】
充電コイル１８ａはそれぞれ１つの導体ループ４６ａとコア４８ａを有している。充電コイル１８ａは、ケース収容領域１６ａに配置された手持ち式工具バッテリ４０ａの充電コイル３０ａに、充電面４４ａに対して垂直にエネルギを伝達するように設けられている。手持ち式工具用ケース保持装置１０ａは、手持ち式工具バッテリ４０ａの充電過程を制御するために設けられている充電電子機器５０ａを備える。このために、充電電子機器５０ａは、当業者に好ましいと思われる方法で充電電子機器５０ａに連通されている。
【００２２】
手持ち式工具用ケース保持装置１０ａの保持装置１２ａは、手持ち式工具用ケース１４ａの２つの保持手段５２ａ，５４ａに工具を使用せずに取り外し可能に係止するために設けられた２つの保持手段２６ａ，２８ａを有している。手持ち式工具用ケース保持装置１０ａの保持手段２６ａ，２８ａは係止凹部として形成されている。手持ち式工具用ケース１４ａの保持手段５２ａ，５４ａは係止フックとして形成されている。手持ち式工具用ケース１４ａの保持手段５２ａ，５４ａは外方への運動によって係止する。手持ち式工具用ケース保持装置１０ａの保持手段２６ａ，２８ａは、ケース収容領域１６ａの互いに向かい合う２つの面に配置されている。
【００２３】
図３〜図６には、本発明の４つの別の実施例が示されている。以下の説明及び図面は、実施例間の相違点にほぼ限定したものである。この場合、同様に示された構成部分については、特に同じ符号を有する構成部分については基本的に別の実施例、特に図１及び図２の実施例の図面及び／又は説明も参照されたい。実施例の相違点は、図１〜図２の実施例の符号ａを変更している。図３〜図６の実施例では、符号ａを符号ｂ〜ｅに変更している。
【００２４】
図３には、手持ち式工具用ケース保持装置１０ｂと、手持ち式工具用ケース１４ｂと、１つの手持ち式工具バッテリ４０ｂとを備えたシステム３６ｂの断面図が示されている。手持ち式工具用ケース保持装置１０ｂは、充電過程で手持ち式工具用ケース１４ｂを手持ち式工具用ケース保持装置１０ｂのケース収容領域１６ｂに取り外し可能に取り付ける図１に示した保持装置を有している。手持ち式工具用ケース保持装置１０ｂは、１つの充電コイル１８ｂと、１つの支持手段２０ｂと、１つの作用力部材２４ｂと、１つの保持装置ハウジング３２ｂとを備えている。支持手段２０ｂと作用力部材２４ｂとは一体的に形成されている。支持手段２０ｂと作用力部材２４ｂは、保持装置ハウジング３２ｂと一体的に形成されている。
【００２５】
支持手段２０ｂは、充電コイル１８ｂと保持装置とを互いに相対的に移動可能に支持している。少なくとも充電過程では作用力部材２４ｂが、充電コイル１８ｂをケース収容領域１６ｂの方向に押す力を生ぜしめる。支持手段２０ｂと作用力部材２４ｂは、保持装置ハウジング３２ｂのフレキシブルな領域として形成されている。支持手段２０ｂと作用力部材２４ｂのこの領域は、環状で、Ｕ字形の横断面を有していて、充電コイル１８ｂの作用方向に対して平行に形成されている。手持ち式工具用ケース１４ｂは、支持手段２０ｂと作用力部材２４ｂのこの領域に隣接する領域を補強する補強リブ５６ｂを有している。
【００２６】
図４には、手持ち式工具用ケース保持装置１０ｃと、手持ち式工具用ケース１４ｃと、１つの手持ち式工具バッテリ４０ｃとを備えたシステム３６ｃの断面図が示されている。手持ち式工具用ケース保持装置１０ｃは、充電過程で手持ち式工具用ケース１４ｃを手持ち式工具用ケース保持装置１０ｃのケース収容領域１６ｃに取り外し可能に取り付ける図１に示した保持装置を有している。手持ち式工具用ケース保持装置１０ｃは、１つの充電コイル１８ｃと、１つの支持手段２０ｃと、１つの作用力部材２４ｃと、１つの保持装置ハウジング３２ｃとを備えている。支持手段２０ｃと作用力部材２４ｃとは一体的に形成されている。支持手段２０ｃと作用力部材２４ｃは、保持装置ハウジング３２ｃとは別個に形成されている。作用力部材２４ｃは保持装置ハウジング３２ｃと充電コイル１８ｃとの間に作用的に配置されている。
【００２７】
支持手段２０ｃは、充電コイル１８ｃと保持装置とを互いに相対的に移動可能に支持している。少なくとも充電過程では作用力部材２４ｃが、充電コイル１８ｃをケース収容領域１６ｃの方向に押す力を生ぜしめる。支持手段２０ｃと作用力部材２４ｃとは、手持ち式工具用ケース１４ｃによって変形可能なクッションとして形成されている。充電コイル１８ｃは、作用力部材２４ｃの一方の側に鋳込まれている。支持手段２０ｃと作用力部材２４ｃとは、保持装置ハウジング３２ｃの外面に配置されている。従って、充電過程で支持手段２０ｃは保持装置ハウジング３２ｃと手持ち式工具用ケース１４ｃとの間に配置されている。
【００２８】
図５には、手持ち式工具用ケース保持装置１０ｄと、手持ち式工具用ケース１４ｄと、１つの手持ち式工具バッテリ４０ｄとを備えたシステム３６ｄの断面図が示されている。手持ち式工具用ケース保持装置１０ｄは、充電過程で手持ち式工具用ケース１４ｄを手持ち式工具用ケース保持装置１０ｄのケース収容領域１６ｄに取り外し可能に取り付ける保持装置１２ｄを有している。手持ち式工具用ケース保持装置１０ｄは、１つの充電コイル１８ｄと、１つの支持手段２０ｄと、２つの作用力部材２４ｄと、１つの保持装置ハウジング３２ｄとを備えている。支持手段２０ｄと作用力部材２４ｄとは別個に形成されている。作用力部材２４ｄは保持装置ハウジング３２ｄとは別個に形成されている。支持手段２０ｄは、保持装置ハウジング３２ｄと部分的に一体に形成されている。
【００２９】
保持装置ハウジング３２ｄは多部分から成っている。支持手段２０ｄは、保持装置ハウジング３２ｄの第１の領域５８ｄを、保持装置ハウジング３２ｄの第２の領域３４ｄに対して相対的に手持ち式工具用ケース１４ｄから移動可能に支持している。保持装置ハウジング３２ｄの第１の領域５８ｄは保持装置１２ｄに対して相対的に移動しない。保持装置ハウジング３２ｄの第２の領域３４ｄは充電コイル１８ｄに対して相対的に移動しない。従って支持手段２０ｄは、充電コイル１８ｄと保持装置１２ｄとを互いに相対的に移動可能に支持している。少なくとも充電過程では作用力部材２４ｄが、充電コイル１８ｄをケース収容領域１６ｄの方向に押す力を生ぜしめる。このために、作用力部材２４ｄは、第１の領域５８ｄと第２の領域３４ｄとの間に作用的に配置されている。作用力部材２４ｄはばねとして形成されている。
【００３０】
図６には、手持ち式工具用ケース保持装置１０ｅと、手持ち式工具用ケース１４ｅと、１つの手持ち式工具バッテリ４０ｅとを備えたシステム３６ｅの断面図が示されている。手持ち式工具用ケース保持装置１０ｅは、充電過程で手持ち式工具用ケース１４ｅを手持ち式工具用ケース保持装置１０ｅのケース収容領域１６ｅに取り外し可能に取り付ける保持装置１２ｅを有している。手持ち式工具用ケース保持装置１０ｅは、１つの充電コイル１８ｅと、１つの支持手段２０ｅと、１つの作用力部材２４ｅと、１つの保持装置ハウジング３２ｅとを備えている。支持手段２０ｅと作用力部材２４ｅとは別個に形成されている。作用力部材２４ｅは、保持装置ハウジング３２ｅとは別個に形成されている。支持手段２０ｅは、保持装置ハウジング３２ｅと部分的に一体に形成されている。
【００３１】
充電コイル１８ｅは、１つの導体ループ４６ａと充電コイル１８ｅのコア４８ｅを結合するコイルハウジング６０ｅを有している。コイルハウジング６０ｅは、支持手段２０ｅと部分的に一体に形成されている。支持手段２０ｅは、充電コイル１８ｅと保持装置１２ｅとを互いに相対的に移動可能に支持している。保持装置ハウジング３２ｅは、充電コイル１８ｅを可動に支持する切欠６２ｅを有している。少なくとも充電過程では作用力部材２４ｅが、充電コイル１８ｅをケース収容領域１６ｅの方向に押す力を生ぜしめる。このために作用力部材２４ｅはコイルハウジング６０ｅと保持装置ハウジング３２ｅとの間に作用的に配置されている。作用力部材２４ｅはばねとして形成されている。
【図１】
0005832661.tif 000002
【図２】
0005832661.tif 000003
【図３】
0005832661.tif 000004
【図４】
0005832661.tif 000005
【図５】
0005832661.tif 000006
【図６】
0005832661.tif 000007